(57)【特許請求の範囲】
【請求項１】
土壌から上方に間隔をおいて１階の床が構成される建物における防虫構造であって、前記建物の床下における土壌に、１．０〜３．０ｍｍの範囲内の粒径の無機物粒子のみを敷き詰めることによって、害虫が物理的に通過し得ないバリア層が形成されていることを特徴とする建物の防虫構造。
【発明の詳細な説明】
【０００１】
【発明の属する技術分野】
この発明は、建物においてシロアリ等の害虫が侵入するのを防止する構造に関する。
【０００２】
【従来の技術】
戸建住宅等における１階の床は、特殊な例を除いては、束立て床のように、土壌から上方に間隔をおいて構成されるのが一般的である。このような床構造の場合、土壌と床との間の空間が、シロアリにとって好適な多湿な環境となりやすく、このためシロアリが土壌から基礎を経て建物へ侵入し、建物の木質部分に大きな食害をもたらすことがある。このようなシロアリ等の害虫が建物へ侵入することを効果的に防止することは、従来から大きな課題の一つとなっている。
【０００３】
シロアリ等の害虫から建物を保護する方法としては、薬剤を用いる方法が主流である。具体的には、▲１▼シロアリ等の害を受ける木質部分に薬剤を直接散布または含浸させる方法、▲２▼土壌に薬剤を散布するか、あるいは薬剤を含浸させたシート等を敷設することによって土壌処理する方法、等が挙げられる。
【０００４】
しかしながら、上記のように薬剤を使用する方法では、薬剤の成分による人体、動植物ならびに周辺環境に対する影響が懸念される。また、建物の解体等の際には、土壌に薬剤が含有されているため残土を全て処分しなければならない。さらにまた、薬剤による防虫（防蟻）処理を施してから長期間経過した場合には、薬剤が活性を喪失することが避けられないため、何らかの防虫（防蟻）処理を再度施す必要がある。
【０００５】
これに対し、例えば、基礎内部に金網、シート等の防虫（防蟻）幕を張設することによって害虫の侵入を防止する方法がある。この方法によれば、害虫の侵入を薬剤によらずに物理的に防止するため、前記のような問題を生じることはない。
【０００６】
【発明が解決しようとする課題】
ところが、上記のように防虫（防蟻）幕を張設する方法では、基礎内部の空間に整合させるようにして防虫（防蟻）幕を張設する必要があるので、施工に手間を要し、特に、折り返し部分等においては施工が困難であり、このため当該部分で害虫の侵入が防止しきれないこととなりやすい。
【０００７】
本発明は、上記の点に鑑みてなされたものであり、その目的とするところは、薬剤を使用することなく、簡易な構造で建物への害虫の侵入を容易かつ確実に防止することが可能な防虫構造を提供することにある。
【０００８】
【課題を解決するための手段】
上記目的を達成するためになされたこの発明の請求項１に記載の建物の防虫構造は、土壌から上方に間隔をおいて１階の床が構成される建物における防虫構造であって、前記建物の床下における土壌に、１．０〜３．０ｍｍの範囲内の粒径の無機物粒子のみを敷き詰めることによって、害虫が物理的に通過し得ないバリア層が形成されていることを特徴とするものである。
【０００９】
【発明の実施の形態】
以下、本発明の実施形態を図面に基づき具体的に説明する。図１および図２には、本発明の一実施形態に係る建物の防虫構造が示されている。同図に示す防虫構造は、建物の床下における土壌Ｓにバリア層Ｌ１が形成されたものとなっている。
【００１０】
ここに示す例では、布基礎１が設けられ、該布基礎１の内部における土壌Ｓから上方に間隔をおいて１階の床組（図示せず）が構成されるように計画されている。
【００１１】
バリア層Ｌ１は、上記布基礎１内部の土壌Ｓの上に、全面的に形成されている。該バリア層Ｌ１は、無機物粒子２を敷き詰めることによって形成されている。該無機物粒子２は、例えば岩石、スラグ、ガラス、陶磁器等の各種の無機系物質を粉砕して粒状に調製してなるものである。さらに、上記岩石としては、例えば花崗岩、玄武岩等や、あるいは大理石、寒水石等の石灰岩、さらには重質炭酸カルシウム、軽質炭酸カルシウム等の工業的に得られる炭酸カルシウム等が挙げられる。また、上記無機系物質としては、廃棄物も好適に利用することができる。
【００１２】
無機物粒子２は、一定範囲内の粒径となるようにコントロールされている。該無機物粒子２の粒径としては特に限定されないが、標準的には例えば０．５〜５．０mm程度、特に２．０mm程度とすることが挙げられる。無機物粒子２の粒径が上記範囲内にあれば、粒子間の間隙が害虫の体の寸法より小となり、かつ粒子自体が害虫によっては排除され得ないものとなるため、該害虫が物理的に通過し得なくなってその侵入が十全に防止されるようになる。特に、例えばシロアリのうちでも加害の程度がやや大きいイエシロアリの場合、１．０〜３．０mm程度の粒径としておくと、該イエシロアリの侵入を効果的に防止することができる。
【００１３】
バリア層Ｌ１の厚さは特に限定されないが、例えば１０mm以上、好ましくは５０mm以上としておくと、防虫効果をより良好とすることができる。
【００１４】
上記のように布基礎１内部の土壌Ｓに無機物粒子２を敷き詰めて設けられたバリア層Ｌ１は、ローラ、ランマ、バイブレータ等の各種締固め手段により締固めをして密実とすることによって、所要の強度を確保するとともに、その防虫効果をさらに向上させることができる。なおこのため、無機物粒子２は多少多めに充填しておくとよい。
【００１５】
上記防虫構造によれば、建物の床下、即ち布基礎１の内部における土壌Ｓに、無機物粒子２を敷き詰めることによって、害虫が物理的に通過し得ないバリア層Ｌ１が形成されているので、薬剤を使用せずにシロアリ等の侵入を効果的に防止することができる。
【００１６】
このとき、上記バリア層Ｌ１は、無機物粒子２を敷き詰めてなるものであるため不定形であり、したがって任意の形状のスペースに容易に追従するようにして設けることができる。特に、布基礎１や配管（図示せず）等に接する箇所にも容易かつ確実に設けることができるので、施工が容易で不良部分も生じ難い。
【００１７】
さらに、無機物粒子２として廃棄物を利用すると、廃棄物の削減にも資することができる。
【００１８】
本発明の防虫構造においては、様々な追加、変更が可能である。例えば図３に示すように、基礎１の外側に沿って断熱材３が配設されるような場合には、少なくとも該基礎１の外側面と断熱材３との間の間隙、ならびに該断熱材３内部の間隙を閉塞するようにしてバリア層Ｌ２を設けるようにするとよい。一般に、基礎の外側面が露出している場合には、該外側面に沿ってシロアリ等が建物に侵入してくることは通常はないと考えられるが、上記のように断熱材が配設されていると、基礎の外側面と該断熱材との間ないし該断熱材内部を通じてシロアリ等が侵入してくることがある。そこで、上記のように基礎１の外側面と断熱材３との間の間隙、ならびに該断熱材３内部の間隙を閉塞するようにしてバリア層Ｌ２を設けておくことで、シロアリ等の侵入を防止することができる。
【００１９】
上記図３に示す例では、基礎１の外側面に重ね合わせるようにして樹脂発泡体よりなる断熱材３が配設され、該断熱材３の下端から外側面にかけて断面略Ｌ字形状をなすようにして、バリア層Ｌ２が断熱材３の長さ方向に沿って形成されている。該バリア層Ｌ２により、基礎１の外側面と断熱材３の下端との間の間隙、ならびに該断熱材３内部の間隙が閉塞されてシロアリ等が侵入し得ないようになっている。なおバリア層Ｌ２は、基礎１の外側におけるベース１ａの上面から地表面レベルまでの間の全空間を充填するように設けられていてもよく、あるいは、地表面に打設された犬走り等のコンクリート下までの間の空間を充填するように設けられていてもよい。
【００２０】
また、例えば、建物の床下における土壌Ｓには、前記バリア層Ｌ１に加えて、防湿シート等を敷設するようにしてもよい（図示せず）。
【００２１】
【発明の効果】
以上のように、この発明の請求項１に記載の建物の防虫構造によれば、土壌から上方に間隔をおいて１階の床が構成される建物において、該建物の床下における土壌に、１．０〜３．０ｍｍの範囲内の粒径の無機物粒子のみを敷き詰めることによって、害虫が物理的に通過し得ないバリア層が形成されているので、薬剤を使用することなく、シロアリ等の害虫が土壌から建物へ侵入してくることを簡易な構造で容易かつ確実に防止することができる。
【００２２】
薬剤を使用しないことで、人体、動植物ならびに周辺環境が好ましくない影響を受けることがない。また、建物の解体等の際に残土の処分は不要であり、回収するとしても再利用することも可能である。さらにまた、半永久的に防虫効果が得られ、防虫処理を再度施す必要もない。
【００２３】
このとき、上記バリア層は、無機物粒子を敷き詰めてなるものであるため不定形であり、したがって任意の形状のスペースに容易に追従するようにして設けることができる。特に、基礎や配管等に接する箇所にも容易かつ確実に設けることができるので、施工が容易で不良部分も生じ難い。
【００２４】
さらに、無機物粒子として廃棄物を利用すれば、廃棄物の削減にも資することができる。
【図面の簡単な説明】
【図１】実施形態に係る建物の防虫構造を示す概略部分平面図。
【図２】図１のＩ−Ｉ線部断面図。
【図３】基礎の外側にバリア層を設けた例を示す概略断面図。
【符号の説明】
２  無機物粒子
Ｓ  土壌
Ｌ１  バリア層
【図１】
0003845228.tif 000002
【図２】
0003845228.tif 000003
【図３】
0003845228.tif 000004